(57)【要約】  【課題】カバーと壁表面との間に隙間を生じることなく水栓本体を水平姿勢に配置する作業を、できるだけ少ない部品点数で、しかもシンプルな組付け作業で行える水栓と壁裏側の配管との接続構造を提供すること。  【解決手段】内部には通水路ａ，ｂを有し、上流側には壁裏側の配管Ｃ，ｈと接続するための上流側接続部６を有し、下流側には少なくとも一部が壁表面Ｓよりも突出し水栓８を接続するための下流側接続部７を有し、且つ前記下流側接続部７にはその外面に雄ねじ９及びクリップ係止用溝１０を有してなる接続用金具１と、下流側接続部７の壁表面Ｓからの突出量を規定するため壁表面に当接し且つ前記クリップ係止用溝１０に係止されるクリップ４と、下流側接続部７の雄ねじ９に螺着される雌ねじＱを有し且つ螺進により壁裏面に当接するよう形成されているナット１６とよりなる。【選択図】        図２
2019049144.tif 000002
【特許請求の範囲】
【請求項１】
内部には通水路を有し、上流側には壁裏側の配管と接続するための上流側接続部を有し、下流側には少なくとも一部が壁表面よりも突出し水栓を接続するための下流側接続部を有し、且つ前記下流側接続部にはその外面に雄ねじ及びクリップ係止用溝を有してなる接続用金具と、
前記下流側接続部の壁表面からの突出量を規定するため壁表面に当接し且つ前記クリップ係止用溝に係止されるクリップと、
前記下流側接続部の前記雄ねじに螺着される雌ねじを有し且つ螺進により壁裏面に当接するよう形成されているナットと
よりなることを特徴とする水栓と壁裏側の配管との接続構造。
【請求項２】
前記下流側接続部の内面に吊りナット螺着用雌ねじを設け、
前記吊りナット螺着用雌ねじに螺着される雄ねじを有する吊りナットを設け、
前記吊りナットのフランジに係止するとともに、水栓側の導水口の雄ねじに螺着する袋ナットを設け、
前記吊りナットの前記フランジと水栓側の導水口との間に環状パッキンを設けてある請
求項１に記載の水栓と壁裏側の配管との接続構造。
【請求項３】
前記下流側接続部における前記クリップ係止用溝よりも下流側にフランジを設ける一方、前記下流側接続部の前記フランジに当接するためのフランジを水栓側の導水口に設け、  板状体を折曲して形成された係止具を設け、
前記下流側接続部に設けた前記フランジと水栓側の前記導水口に設けた前記フランジとの当接状態において前記両フランジを前記係止具で挟み込み保持するように構成されている請求項１に記載の水栓と壁裏側の配管との接続構造。
【請求項４】
前記下流側接続部における前記クリップ係止用溝よりも下流側に簡易着脱機構を有する継手を設け、水栓側の導水口の接続部が挿抜可能なフリー状態と、このフリー状態で挿入された水栓側の前記導水口の前記接続部が軸回りに回動自在に連結されたロック状態とに切り換わるよう構成されている請求項１に記載の水栓と壁裏側の配管との接続構造。
【発明の詳細な説明】
【技術分野】
【０００１】
本発明は、水栓と壁裏側の配管との接続構造に関するものであり、更に詳しくは、偏心管を用いるタイプに代えて接続用金具を介して水栓を壁表面側に取り付けるよう構成してある水栓と壁裏側の配管との接続構造に関するものである。
【背景技術】
【０００２】
従来この種の接続構造として、下記特許文献１に示すものがあり、以下に示す接続構造を採用している。
【０００３】
（１）特許文献１の図２、図３に示されているように、配管９０と水栓２０とを接続具Ｓを介して接続するよう構成されている。
【０００４】
（２）接続具Ｓとして、配管９０に接続される後方接続部３３及び水栓２０の接続口２５に接続される前方接続部３２を有するものを採用している。
【０００５】
（３）そして、前方接続部３２を取付部１０の貫通孔１１に裏側より挿入し、接続具Ｓの一部品であるアダプタ３０のフランジ部３１をパッキン１６を介して取付部１０の裏面側に当接させている。
【０００６】
（４）又、固定鍔６１を備えたナットからなる固定部材６０を採用している。
【０００７】
（５）そして、取付部１０前方のシートパッキン１７と、シートパッキン１７前方の取付ステー７０とを介在させた状態で、固定部材６０を取付部１０の表面側より貫通孔１１に挿入している。
【０００８】
（６）その挿入後、接続具Ｓを取付部１０に固定するため固定部材６０を前方接続部３２に螺合締結するとともに、シートパッキン１７と取付ステー７０を介して固定鍔６１を取付部１０の表面側に当接させ、固定鍔６１とフランジ部３１とで取付部１０を挟持している。
【０００９】
（７）そして、従来例では、特許文献１の図４に示されているように、固定鍔６１の表面６３が取付部１０の表面１５から常に同一量だけ突出するようにし、取付部１０の表面１５側への前出量が常に一定となり、取付部１０の厚薄によらず水栓の好適な取付状態が得られるようになっている。
【００１０】
（８）そのために、例えば水栓本体２１（特許文献１の図５参照）を被覆するカバー２３（特許文献１の図３参照）と取付部１０の表面１５との間に隙間ができないようになっている。
【先行技術文献】
【特許文献】
【００１１】
【特許文献１】特許第３４５８２７０号公報
【発明の概要】
【発明が解決しようとする課題】
【００１２】
しかしながら、この従来例では、水栓本体２１を被覆するカバー２３と取付部１０の表面１５との間に隙間ができないように工夫されているものの、そのために用いる部品数が極めて多く、コスト高になるおそれがあるとともに、部品数が多いためにこれらを用いる組付け作業が大変煩雑になり、作業性が低下するおそれがあるといった課題がある。
【００１３】
即ち、部品として、前記接続具Ｓ、前記固定部材６０、前記取付ステー７０、そして例えば取付作業に先立ち水栓本体２１の底面に設けられる下方ステー８０（特許文献１の図５参照）が必要である。
【００１４】
又、前記接続具Ｓは、左右一対のアダプタ３０，３０及び両アダプタ３０，３０を所望のピッチで固定する固定ステー５０の二部品より構成されている。
【００１５】
又、取付部１０の裏面側にパッキン１６を設け、取付部１０の表面側にシートパッキン１７を設けている。
【００１６】
さらに、組付け作業については、固定部材６０の固定鍔６１の表面６３を取付部１０の厚さにかかわらず前記同一量だけ突出させるため固定部材６０の雌ねじ６２に前方接続部３２の雄ねじ３４（特許文献１の図４参照）を螺合締結する際に、雌ねじ６２への螺入量を前方接続部３２の側で微調節する必要があり、この調節作業に手間がかかるおそれがある。
【００１７】
本発明は上述の事柄を考慮に入れてなされたものであり、カバーと壁表面との間に隙間を生じることなく水栓本体を水平姿勢に配置する作業を、できるだけ少ない部品点数で、しかもシンプルな組付け作業で行える水栓と壁裏側の配管との接続構造を提供することを目的としている。
【課題を解決するための手段】
【００１８】
上記目的を達成するため、本発明は、内部には通水路を有し、上流側には壁裏側の配管と接続するための上流側接続部を有し、下流側には少なくとも一部が壁表面よりも突出し水栓を接続するための下流側接続部を有し、且つ前記下流側接続部にはその外面に雄ねじ及びクリップ係止用溝を有してなる接続用金具と、
前記下流側接続部の壁表面からの突出量を規定するため壁表面に当接し且つ前記クリップ係止用溝に係止されるクリップと、
前記下流側接続部の前記雄ねじに螺着される雌ねじを有し且つ螺進により壁裏面に当接するよう形成されているナットと
よりなることを特徴とする水栓と壁裏側の配管との接続構造を提供する（請求項１）。
【００１９】
又、本発明は、前記下流側接続部の内面に吊りナット螺着用雌ねじを設け、前記吊りナット螺着用雌ねじに螺着される雄ねじを有する吊りナットを設け、前記吊りナットのフランジに係止するとともに、水栓側の導水口の雄ねじに螺着する袋ナットを設け、前記吊りナットの前記フランジと水栓側の導水口との間に環状パッキンを設けてある請求項１に記
載の水栓と壁裏側の配管との接続構造を提供する（請求項２）。
【００２０】
又、本発明は、前記下流側接続部における前記クリップ係止用溝よりも下流側にフランジを設ける一方、前記下流側接続部の前記フランジに当接するためのフランジを水栓側の導水口に設け、板状体を折曲して形成された係止具を設け、前記下流側接続部に設けた前記フランジと水栓側の前記導水口に設けた前記フランジとの当接状態において前記両フランジを前記係止具で挟み込み保持するように構成されている請求項１に記載の水栓と壁裏側の配管との接続構造を提供する（請求項３）。
【００２１】
更に、本発明は、前記下流側接続部における前記クリップ係止用溝よりも下流側に簡易着脱機構を有する継手を設け、水栓側の導水口の接続部が挿抜可能なフリー状態と、このフリー状態で挿入された水栓側の前記導水口の前記接続部が軸回りに回動自在に連結されたロック状態とに切り換わるよう構成されている請求項１に記載の水栓と壁裏側の配管との接続構造（請求項４）。
【発明の効果】
【００２２】
本発明では、カバーと壁表面との間に隙間を生じることなく水栓本体を水平姿勢に配置する作業を、できるだけ少ない部品点数で、しかもシンプルな組付け作業で行える水栓と壁裏側の配管との接続構造を提供することができる。
【００２３】
そして、本発明では、クリップを接続用金具に組付けるにあたり、下流側接続部の一部を、配管が位置する壁裏側から壁穴を介して壁表面よりも突出させながら、クリップを、下流側接続部の外面に設けたクリップ係止用溝に壁表面側から係止させた状態で壁表面に当接させることができるように構成したので、壁の厚みにかかわらず壁表面から常に同一量だけ壁穴を介して接続用金具（下流側接続部）を突出させることができる。
【００２４】
しかも、従来例に記載の発明は、固定部材の固定鍔の表面を取付部の表面から常に同一量だけ突出させるため接続具の前方接続部の雄ねじの、固定部材の雌ねじへの螺入量の調節作業に手間がかかるおそれがあるのに対し、本発明では、下流側接続部の少なくとも一部を壁表面より突出させながらクリップ係止用溝にクリップを係止するだけの簡単な作業で済む。
【００２５】
又、請求項２の発明では、接続用金具と、クリップと、ナットと、吊りナットと、環状パッキンを設けている。この場合、接続用金具として、クリップ、吊りナット及び配管を一度に組付けることができる構成の単一の接続用金具を用いており、吊りナットのフランジに係止する袋ナットを設けて吊りナットを介して袋ナットを接続用金具に取付けるようにしている。
【００２６】
さらに、請求項２の発明では、袋ナットを介して水栓側の導水口に接続するように構成したので、少ない部品点数で組付け作業を容易にできる。
【００２７】
又、請求項２の発明では、吊りナットのフランジに袋ナットを係止させながら、吊りナットの雄ねじと下流側接続部の内面に設けた吊りナット螺着用雌ねじとの螺着により吊りナットを接続用金具の最下流側に位置させた状態で、壁表面側から環状パッキンを吊りナット内に挿入することにより、吊りナットのフランジの下面に環状パッキンを当接させるようにし、さらに、袋ナットに水栓側の導水口の雄ねじを螺着させるようにし、袋ナットを締付けることによって、環状パッキンを吊りナットのフランジと水栓側の導水口間に挟持させることができて吊りナットのフランジと水栓側の導水口間からの漏水を防止できる。
【００２８】
又、請求項２の発明では、シール部材としての環状パッキンを一つ用いるだけでシール性を確保でき、従来例のように取付部の表裏両面側にシール部材を設ける必要はなく、シール部材の部品点数も少なくできる。
【００２９】
又、請求項２の発明では、クリップを係止させる役目と、配管を接続する役目と、袋ナットに一体的に設けた吊りナットを介して水栓を接続する役目とを兼用する一つの接続用金具を壁裏側に位置させるだけでよい。前記従来例では、接続具としてアダプタ以外にアダプタを所定のピッチで固定する固定ステーを必要としており、壁裏側の部品が多くなって接続作業は煩雑になるが、請求項２の発明では、壁裏側の部品は一つの接続用金具だけであるので接続作業を容易にできる。
【００３０】
同様のことが、壁表側の部品についても言える。従来例では、固定部材と取付ステーの二つの部品を設置するにあたり、取付ステーを介して固定部材を壁裏側のアダプタに接続する煩雑な作業が必要であるが、請求項２の発明では、吊りナットの容易な螺着作業と、クリップの容易な係止作業だけで済む。
【００３１】
又、請求項３の発明では、下流側接続部におけるクリップ係止用溝よりも下流側にフランジを設ける一方、下流側接続部の前記フランジに当接するためのフランジを水栓側の導水口に設け、板状体を折曲して形成された係止具を設け、下流側接続部に設けた前記フランジと水栓側の導水口に設けた前記フランジとの当接状態において前記両フランジを前記係止具で挟み込み保持するように構成しているので、水栓側と接続用金具側の接続形態がシンプルで接続の作業性を容易にできる。
【００３２】
又、請求項４の発明では、下流側接続部におけるクリップ係止用溝よりも下流側に簡易着脱機構を有する継手を設け、水栓側の導水口の接続部が挿抜可能なフリー状態と、このフリー状態で挿入された水栓側の導水口の前記接続部が軸回りに回動自在に連結されたロック状態とに切り換わるよう構成しているので、水栓側と接続用金具側の接続形態がシンプルで接続の作業性をより容易にできる。
【図面の簡単な説明】
【００３３】
【図１】本発明の第１の実施形態を示す全体構成説明図である。
【図２】上記実施形態を示す要部構成説明図である。
【図３】上記実施形態で用いるクリップを示す正面図である。
【図４】（Ａ）は、上記実施形態で用いるクリップの変形例を示す正面図である。（Ｂ）は、上記実施形態で用いるクリップの別の変形例を示す正面図である。
【図５】（Ａ）は、本発明の第２の実施形態を示す要部構成説明図である。（Ｂ）は、上記第２の実施形態で用いる係止具を示す斜視図である。
【図６】（Ａ）は、本発明の第３の実施形態を示す要部構成説明図である。（Ｂ）は、上記第３の実施形態で用いる簡易着脱機構を示す斜視図である。
【発明を実施するための形態】
【００３４】
以下、本発明の実施形態について説明する。尚、それによって本発明は限定されるものではない。
【００３５】
図１〜図３は、湯と水の２つの導水口が必要な湯水混合栓を用いた本発明の第１の実施形態を示す。尚、水栓側の導水口が１つである単水栓にも本発明は適用できる。
【００３６】
図１において、８は、サーモスタット式湯水混合栓（水栓）であり、湯水の温度調整を行うサーモスタット式カートリッジＡが水栓本体Ｂの一端に内蔵されているとともに、水栓本体Ｂの他端には切換部材Ｄが内蔵されている。
【００３７】
前記カートリッジＡは、内部に、図示しない水側弁座及び湯側弁座を有し、これら両弁座に選択的に接離するように同軸上で軸線方向に可動弁体（図示せず）が移動可能に設けられ、この可動弁体の上流側及び下流側にそれぞれ湯流入室及び湯水混合室が設けられ、可動弁体を湯側弁座と接近する方向に付勢するように湯水混合室の側には形状記憶合金よりなる感温バネ（図示せず）が設けられ、感温バネの付勢力に対向させて可動弁体を水側弁座と接近する方向に付勢するように湯流入室の側にはバイアスバネ（図示せず）が設けられ、温度調整用ハンドルＥの回転操作に連動して温度調整用栓棒Ｆが回転することにより、湯または水が吐水する一方、切換部材Ｄに連動連結されている切換ハンドルＧの操作により吐水／止水の切換、流量調整、シャワ／カラン切換が行われるように構成されている。
【００３８】
水栓８は、水栓本体Ｂを被覆するカバーＫを備えている。
【００３９】
尚、形状記憶合金バネタイプの感温部の代わりに、ワックスタイプの感温部を用いるサーモスタット式湯水混合栓にも本発明は適用でき、上述したような単水栓にも本発明は適用できる。
【００４０】
以下、特徴的構成について説明する。
【００４１】
図１において、水栓８側の水導水口１４と壁Ｗ裏側の水側配管Ｃとの接続構造と、水栓８側の湯導水口１４’と湯側配管ｈとの接続構造は同一構造であるので、図２に示されているように、水栓８側の導水口１４と壁Ｗ裏側の水側配管Ｃとの接続構造について説明する。
【００４２】
図１、図２は、袋ナット３，３が本締めされた状態を示しており、図１、図２において、水栓８と壁裏側の水側配管Ｃとの接続構造は、接続用金具１と、吊りナット２と、袋ナット３と、クリップ４と、環状パッキン５とより主としてなる。
【００４３】
接続用金具１は上流側接続部６及び下流側接続部７を有するとともに、内部に通水路を有する。この実施形態では、接続用金具１は、平面視略Ｌ字状に構成されている。
【００４４】
上流側接続部６は、壁Ｗの裏側の水配管Ｃと接続するため接続用金具１の上流側に設けられている一方、下流側接続部７は、少なくとも一部が壁Ｗの表面Ｓよりも突出している。尚、壁Ｗは間柱（図示せず）と水栓８との間に位置している。
【００４５】
壁Ｗは、水側壁穴（丸穴）Ｈ及び湯側壁穴（丸穴）Ｈ’を有するとともに、適宜寸法の壁厚ｄを有する一方、前記通水路は、上流側から下流側に向かって平面視において直角に折れ曲がっている。
【００４６】
上流側接続部６と水配管Ｃの接続個所からの通水路部分ａは壁表面（壁裏面）Ｓに平行であり、そして、通水路部分ａが接続用金具１の内面のコーナーに突き当たり、そして水側壁穴Ｈの側へ９０°折れ曲がり通水路部分ｂとなる。
【００４７】
さらに、下流側接続部７は、その外面に雄ねじ９及びクリップ係止用溝１０を、その内面に吊りナット螺着用雌ねじ１１を有している。
【００４８】
下流側接続部７は、筒状で、前記吊りナット螺着用雌ねじ１１が内周面に形成されている開口部７ａ（図２参照）を有する。
【００４９】
一方、前記クリップ係止用溝１０は、前記開口部７ａの外周面に環状に形成されている。
【００５０】
又、前記雄ねじ９はクリップ係止用溝１０の上流側直上に位置している。
【００５１】
吊りナット２は、前記雌ねじ１１に螺着される雄ねじ１２を有する。
【００５２】
袋ナット３は、吊りナット２のフランジ１３に係止するとともに、水導水口１４の雄ねじ１５に螺着する。この実施形態では、袋ナット３の外周における最大径と壁穴Ｈの内径を略同一寸法に設定してあり、袋ナット３は壁穴Ｈを通過できるようになっている。
【００５３】
クリップ４，４は、下流側接続部７の壁表面Ｓからの突出量を規定するためのもので、この実施形態では水側と湯側にそれぞれ配置されている。水側のクリップ４と湯側のクリップ４は同一形状である。クリップ４は金属製（例えばステンレス製）の板状部材で、所定の厚みｍを有している。
【００５４】
この実施形態で用いるクリップ４は、図３にも示すように、正面視逆Ｕ字状に形成したものである。即ち、クリップ４は前記板状部材の中央に開口Ｚを有する。そして、前記開口Ｚは、環状の前記クリップ係止用溝１０の例えば上方から係止可能に嵌込まれるように前記クリップ係止用溝１０の外径と略等しい寸法を有している。
【００５５】
尚、必要に応じて、クリップ４は前記溝１０に対して左右、斜め、下方のあらゆる方向から前記溝１０に嵌込むようにしてもよい。
【００５６】
そして、袋ナット３，３が本締めされて水栓本体Ｂが壁Ｗに取付られた状態では、図２に示すように、下流側接続部７の前記開口部７ａの先端面Ｎ（図２参照）が、壁Ｗの表面Ｓから所定長さの突出量だけ突出するように構成されている。
【００５７】
又、環状パッキン５は、吊りナット２のフランジ１３と水栓側の水導水口１４との間に設けられている。
【００５８】
この実施形態では、環状パッキン５は、図２に示すように断面略コ字状で、環状溝部５ａが形成された内周面を有する。
【００５９】
１６は、下流側接続部７の雄ねじ９に螺着される雌ねじＱを有し、且つ螺進により壁裏面に当接するよう形成されているナットで、下流側に向かって、順次、小径部１６ａと、壁裏面に当接するよう形成された環状水平面１６ｂを有する大径のフランジ１６ｃと、壁穴Ｈに遊嵌可能に配置されるリング部分１６ｄを有する。
【００６０】
この実施形態では、リング部分１６ｄの外周面は、下流側に行くほど外径が小となっていくテーパー面に形成されており、リング部分１６ｄは、リング部分１６ｄの前記環状水平面１６ｂとの境部分において壁穴Ｈの最上流部分における環状内周面Ｘ（図１参照）に当接するよう構成されている。尚、接続用金具１とナット１６と袋ナット３付きの吊りナット２の種類の異なる部品をそれぞれ別々にして（単品扱いにして）搬送先に搬送する場合よりも、接続用金具１にナット１６と袋ナット３付きの吊りナット２を予め工場で組付けたものを一組として搬送するようにすれば、それだけ施工現場で組付ける手間がはぶけて作業性に貢献できるという利点があるとともに、搬送中において、前記部品１，１６，２（３）を一組として搬送する方が、搬送中の部品紛失防止にも貢献できる。
【００６１】
而して、配管Ｃ，ｈに接続された接続用金具１，１にナット１６，１６と袋ナット３，３付きの吊りナット２の両方を装着した状態で袋ナット３，３を壁裏側から壁穴Ｈ、Ｈ’に通して壁表側に位置させ、下流側接続部７，７の開口部７ａ，７ａの先端部分Ｎ，Ｎを壁表面Ｓより突出させる。
【００６２】
この際、ナット１６，１６の締付け具合を適宜調整しながらナット１６，１６の前記環状水平面１６ｂ，１６ｂを壁裏面に当接させるとともに、予め、吊りナット２，２の内部に、環状パッキン５，５を吊りナット２，２のフランジ１３，１３の下面に当接するまで挿入しておく。
【００６３】
続いて、壁表面Ｓより突出している前記開口部７ａ，７ａの外周面に形成されている前記クリップ係止用溝１０，１０にクリップ４，４を係止する。
【００６４】
続いて、カバーＫと温度調整用ハンドルＥ及び切換ハンドルＧを取り付けた状態で水栓本体Ｂを壁Ｗに取付ける。この際、壁表面側に位置する袋ナット３，３に水導水口１４の雄ねじ１５及び湯導水口１４’の雄ねじ１５を装着する。
【００６５】
即ち、カバーＫを壁表面Ｓに当てた状態で、壁表面側から、湯側の導入口１４’を正面向かって左側の袋ナット３に仮締めし、水導入口１４を正面向かって右側の袋ナット３に仮締めしながら、水栓本体Ｂの水平姿勢を保ち、両袋ナット３，３を本締めする。
【００６６】
これにより、クリップ４，４の壁表面側の面が壁表面Ｓに当接するとともに、壁Ｗはナット１６，１６とクリップ４，４に挟まれた状態で、カバーＫと壁表面との間に隙間を生じることなく水栓本体Ｂを水平姿勢に配置することができる。
【００６７】
尚、クリップ４として、本発明では、正面視逆Ｕ字状に形成したもの以外に、図４（Ａ）に示すように、正面視Ｃ字状に形成したものが適用できる。そして、必要に応じて、正面視Ｃ字状に形成してなるクリップ４を前記溝１０に対して上方以外の方向から前記溝１０に嵌込むようにしてもよい。尚、図４（Ａ）において、図１〜図３に示した符号と同一のものは同一又は相当物である。
【００６８】
さらに、図４（Ｂ）は、クリップ５の別の変形例を示している。図４（Ｂ）において、図１〜図３、図４（Ａ）に示した符号と同一のものは同一又は相当物である。
【００６９】
図４（Ｂ）において、クリップ４は、湯側と水側に位置する前記クリップ係止用溝１０，１０に同時に係止可能な単一の平板部材よりなり、水導水口１４の中心線Ｍ（図１参照）と湯導水口１４’の中心線Ｍ’間のピッチと同一のピッチＰを有する一対の略半円状の開口Ｚ’，Ｚが形成されている。
【００７０】
そして、水栓本体Ｂを壁Ｗに取付けるあたり、予めクリップ４の前記開口Ｚ’及びＺを、それぞれ環状の前記クリップ係止用溝１０及び１０の上方から係止可能に嵌込む作業を行うことにより、クリップ係止用溝１０，１０間のピッチを前記ピッチＰに一致させることができ、ひいては、壁表面側に位置する袋ナット３，３間のピッチも前記ピッチＰに一致させることができる。そのために、水栓本体Ｂの水平姿勢を保ち易くしながら袋ナット３，３に水導水口１４の雄ねじ１５及び湯導水口１４’の雄ねじ１５をスムースに装着することができる。
【００７１】
又、図４（Ｂ）に示すクリップ４は、図３、図４（Ａ）に示したクリップ４と同様に壁表面側の面が壁表面Ｓに当接するが、当接個所が図３、図４（Ａ）に示すクリップ４の場合と異なる。
【００７２】
図４（Ｂ）に示すクリップ４では水側壁穴Ｈ及び湯側壁穴Ｈ’間の個所においてもクリップ４の壁表面側の面が壁表面Ｓに当接しており、壁Ｗは、当接個所が増大したクリップ４と、前記ナット１６，１６とに挟まれることになることから、この図４（Ｂ）に示す形状のクリップ４は水栓本体Ｋを壁Ｗに取付ける際の補強部材として有効に寄与しうる。
【００７３】
尚、必要に応じて、図４（Ｂ）に示すクリップ４を二つ用いることにより、水栓本体Ｂを壁Ｗに取付ける際の補強部材として寄与する度合いを向上させることができる。即ち、本発明では、二つのクリップ４，４のうち、一方をクリップ係止用溝１０及び１０の上方から係止可能に嵌込むとともに、他方を下方から係止可能に嵌込むように構成できる。この際、上下両クリップ４，４を適宜の連結金具で連結しながら開口Ｚ，Ｚ同士及び開口Ｚ’，Ｚ’同士を向かい合わせて前記開口部７ａ，７ａを上下から挟む構成にできる。
【００７４】
図５は、本発明の第２の実施形態を示す。図５において、図１〜図４に示した符号と同一のものは同一又は相当物である。
【００７５】
尚、図５に示されているように、水栓８側の水導水口１４と壁Ｗ裏側の水側配管Ｃとの接続構造について説明する。この接続構造は、湯導水口１４’と湯側配管ｈとの接続構造にも当てはまる。
【００７６】
図５において、この実施形態では、下流側接続部７におけるクリップ係止用溝１０よりも下流側にフランジ３０を設ける一方、下流側接続部７の前記フランジ３０に当接するためのフランジ３１を水栓側の水導水口１４に設け、板状体を折曲して形成された、例えば特許第３４１３０３６号公報に示すような係止具３２を設け、前記フランジ３０と前記フランジ３１との当接状態において前記両フランジ３０，３１を前記係止具３２で挟み込み保持するように構成している。
【００７７】
詳しくは、下流側接続部７は、下流側へ向かって、順次、ナット１６が螺着する雄ねじ９を外面に、クリップ係止用溝１０を外面に、及び前記フランジ３０を先端部に有している。フランジ３０は、壁穴Ｈを通過可能な大きさに設定されている。
【００７８】
そして、係止具３２は板状体を略Ω字状に折曲して形成されたもので、対向する側面の位置にそれぞれ、両フランジ３０，３１を重ねた状態のものが挿通可能な大きさに設定されている開口３３を有する。フランジ３０，３１の外径は同一である。
【００７９】
一方、前記フランジ３０は下流側接続部７の下流側先端部に形成されており、下流側接続部７の外径よりも大きな外径を有する。フランジ３１は水導水口１４の上流側先端に設けられている。
【００８０】
而して、配管Ｃに接続された接続用金具１にナット１６を装着した状態で下流側接続部７を壁裏側から壁穴Ｈに通して壁表側に位置させ、下流側接続部７に形成されたクリップ係止用溝１０と下流側接続部７の下流側先端部に形成されたフランジ３０を壁表面Ｓより突出させる。
【００８１】
この際、ナット１６の締付け具合を適宜調整しながらナット１６の前記環状水平面１６ｂを壁裏面に当接させる。
【００８２】
続いて、壁表面Ｓより突出しているクリップ係止用溝１０にクリップ４を係止する。
【００８３】
続いて、図１に示したようにカバーＫと温度調整用ハンドルＥ及び切換ハンドルＧを取り付けた状態で水栓本体Ｂを壁Ｗに取付ける。この際、壁表面側に位置するフランジ３０と水導水口１４の上流側先端に設けたフランジ３１とを当接させる。
【００８４】
即ち、カバーＫを壁表面Ｓに当てた状態で、フランジ３１とフランジ３０との当接状態において水導入口１４と下流側接続部７をシール可能に嵌合し、前記係止具３２の前記開口３３に両フランジ３０，３１を重ねた状態で挿入して両フランジ３０，３１を係止具３２で挟み込み保持する。湯側も同様の処理を施す。
【００８５】
尚、この実施形態では、クリップ係止用溝１０の上流側にクリップ４が位置するとともに、クリップ係止用溝１０の下流側に係止具３２の開口３３を形成する前後一対の略Ω字状の対向部材３２ａ，３２ａのうちフランジ３０の上流側の対向部材３２ａがクリップ４に隣接する状態で位置する。即ち、対向部材３２ａの入り込む幅だけ上記第１実施形態のクリップ係止用溝１０よりもこの実施形態のクリップ係止用溝１０の前後の幅の方が大きくなっている。１０ａは対向部材３２ａが入り込み可能な幅を有するクリップ係止用溝１０の下流側部分を示す。
【００８６】
これにより、クリップ４，４の壁表面側の面が壁表面Ｓに当接するとともに、壁Ｗはナット１６，１６とクリップ４，４に挟まれた状態で、且つカバーＫと壁表面との間に隙間を生じることなく水栓本体Ｂを水平姿勢に配置することができる。
【００８７】
図６は、下流側接続部７におけるクリップ係止用溝１０よりも下流側に簡易着脱機構を有する、例えば特許第５９６４５６６号公報に示すような継手４０を設け、水導水口１４の下流側接続部７との接続部４１が挿抜可能なフリー状態と、このフリー状態で挿入された水導水口１４の接続部４１が軸回りに回動自在に連結されたロック状態とに切り換わるよう構成されている本発明の第３の実施形態を示す。図６において、図１〜図５に示した符号と同一のものは同一又は相当物である。
【００８８】
尚、図６において、水導水口１４と壁Ｗ裏側の水側配管Ｃとの接続構造について説明する。この接続構造は、湯導水口１４’と湯側配管ｈとの接続構造にも当てはまる。
【００８９】
この実施形態では、下流側接続部７は下流端側に簡易着脱機構を有する継手４０を備えている。即ち、下流側接続部７におけるクリップ係止用溝１０の直下流側でクリップ係止用溝１０に隣接して簡易着脱機構を有する継手４０を設けている。
【００９０】
この継手４０は、内筒４２と、外筒４３と、小球４４とよりなる。継手４０は、壁穴Ｈを通過可能な大きさに設定されている。
【００９１】
外筒４３は、内筒４２と同心円状に配置されており、先端の内径が他の部位よりも大であり、内筒４２の軸方向に摺動可能であるとともに図示していない弾性部材により内筒４２の先端向きに付勢されている。
【００９２】
小球４４は、内筒４２に形成された複数（例えば四つ）の貫通孔の各々に外側から嵌装され貫通孔を通り抜けることの大きさを有している。
【００９３】
継手４０は、摺動する外筒４３の位置に応じてロック状態とフリー状態とに切り換わる。
【００９４】
即ち、外筒４３がその摺動可能範囲において内筒４２の先端に最も近い位置にあるときは、外筒４３の先端以外の部位が各小球４４を押圧し、各小球４４の一部は貫通孔を抜けて内筒４２の内側に突出した状態に保たれるロック状態となる。
【００９５】
又、外筒４３に対する付勢に抗して外筒４３を摺動させ、外筒４３の先端が各小球４４を外側から覆うようにすると、外筒４３の先端の内径は大となっており、各小球４４は貫通孔内に退避可能なフリー状態となる。尚、このフリー状態でも、各小球４４が貫通孔から外れてしまうことは外筒４３の先端によって防止される。
【００９６】
これに対して、水導水口１４の接続部４１の上流部には、環状溝４４が設けられ、継手４０がロック状態にあるときの各小球４４は環状溝に係合可能であり、しかもこの係合が行われている状態で、接続部４１は内筒４２の軸回りに回動可能となっている。
【００９７】
又、継手４０がフリー状態にあるときは前記係合が解除され、継手４０に対する接続部４１の挿抜が可能となる。
【００９８】
而して、配管Ｃに接続された接続用金具１にナット１６を装着した状態で下流側接続部７に形成されたクリップ係止用溝１０および下流側接続部７に一体に設けた継手４０を壁裏側から壁穴Ｈに通して壁表側に位置させ、クリップ係止用溝１０と継手４０を壁表面Ｓより突出させる。
【００９９】
この際、ナット１６の締付け具合を適宜調整しながらナット１６の前記環状水平面１６ｂを壁裏面に当接させる。
【０１００】
続いて、壁表面Ｓより突出しているクリップ係止用溝１０にクリップ４を係止する。
【０１０１】
続いて、図１に示したようにカバーＫと温度調整用ハンドルＥ及び切換ハンドルＧを取り付けた状態で水栓本体Ｂを壁Ｗに取付ける。
【０１０２】
即ち、カバーＫを壁表面Ｓに当てた状態で、水導入口１４の接続部４１を継手４０にはめ込む。この際、フリー状態の継手４０に接続部４１を差し込んだ後、継手４０をロック状態にする。湯側も同様の処理を施す。
【０１０３】
これにより、クリップ４，４の壁表面側の面が壁表面Ｓに当接するとともに、壁Ｗはナット１６，１６とクリップ４，４に挟まれた状態で、且つカバーＫと壁表面との間に隙間を生じることなく水栓本体Ｂを水平姿勢に配置することができる。
【符号の説明】
【０１０４】
１          接続用金具
３          袋ナット
４          クリップ
５          環状パッキン
６          上流側接続部
７          下流側接続部
８          水栓
９          雄ねじ
１０        クリップ係止用溝
１１        吊りナット螺着用雌ねじ
１２        吊りナットの雄ねじ
１３        吊りナットのフランジ
１４，１４’導水口
１５        導水口の雄ねじ
１６        ナット
Ｑ          ナットの雌ねじ
ａ，ｂ      通水路
Ｃ，ｈ      配管
Ｓ          壁表面
【図１】
2019049144.tif 000003
【図２】
2019049144.tif 000004
【図３】
2019049144.tif 000005
【図４】
2019049144.tif 000006
【図５】
2019049144.tif 000007
【図６】
2019049144.tif 000008